【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
他端末に対してデータ送信を行う送信端末であって、
端末本体又はその一部に作用する物理量を検出する検出手段と、
物理量によって加工処理されるべき対象データ若しくはその識別子を準備する準備手段と、検出手段が検出した物理量データと準備手段が準備したデータとを互いに識別可能な形態で受信端末に送信する送信手段とを備えることを特徴とする送信端末。
【請求項２】
前記準備手段は、加工対象データの他に音声データ、テキストデータ及びイメージデータのいずれかを準備し、前記送信手段は、準備手段が準備した各データについても互いに識別可能な形態で送信することを特徴とする請求項１記載の送信端末。
【請求項３】
前記送信手段は、物理量データと、そのデータによって加工されるべきデータとを関連づけるためのリンク情報を少なくとも物理データに付加するリンク情報付加手段を含むことを特徴とする請求項１記載の送信端末。
【請求項４】
請求項１記載の送信端末は、
物理量によって加工されるべき対象データの画像を表示するディスプレイを含み、
前記物理量検出センサは、ディスプレイ上に設けられたタッチパネルとそのタッチパネルに対してなされる操作者の操作を検出し、その検出データから押す、なぜる、くすぐる等の仕種を解釈する処理回路とからなることを特徴とする送信端末。
【請求項５】
対象データが送信者を比喩的に表わす擬人データであり、準備手段が前記擬人データを記憶する記憶手段を含むことを特徴とする請求項１記載の送信端末。
【請求項６】
対象データが送信者を比喩的に表わす擬人データであり、他端末が予め送信端末の擬人データを保有しており、
準備手段は前記擬人データを特定するための識別子を記憶する記憶手段を含み、送信手段は他端末と通信が確立した初期に前記識別子を送信することを特徴とする請求項１記載の送信端末。
【請求項７】
対象データが送信者の音声データであり、
準備手段は送信者の音声を集音するマイクロフォンであり、送信手段は音声データをリアルタイムに送信することを特徴とする請求項１記載の送信端末。
【請求項８】
他端末に対してデータ送信を行う送信端末の送信方法であって、端末本体またはその一部に作用する物理量を検出する検出ステップと、物理量によって加工処理されるべき対象データ若しくはその識別子を準備する準備ステップと、検出手段が検出した物理量データと準備手段が準備したデータとを互いに識別可能な形態で受信端末に送信する送信ステップよりなることを特徴とする送信方法。
【請求項９】
送信端末から送られてきたデータを受信する受信端末であって、
送信端末から送られてくるデータを受信する受信手段と、
受信したデータから送信端において検出された物理量を示す第１データと、物理量によって加工されるべき第２データとを分離する分離手段と、
第２データを第１データによって加工する加工手段と、
加工後の第２データの内容を受信端末操作者に提示する提示手段と、
を含むことを特徴とする受信端末。
【請求項１０】
分離手段は、
受信したデータに付されている識別子を検出し、その識別子から第１データか第２データであるかの判別を行うデータ種別判定部を含むことを特徴とする請求項９記載の受信端末。
【請求項１１】
送信端末から送られてきたデータを受信する受信方法であって、送信端末から送られてくるデータを受信するステップと、受信したデータから送信端において検出された物理量を示す第１データと、物理量によって加工されるべき第２データとを分離する分離ステップと、第２データを第１データによって加工する加工ステップと、加工後の第２データの内容を受信端末操作者に提示する提示ステップと、を含むことを特徴とする受信方法。
【請求項１２】
送信端末から送られてきたデータを受信する受信端末であって、
送信端末から送られてくるデータを受信する受信手段と、
受信したデータから送信端において検出された物理量を示す第１データと、物理量によって加工されるべき第２データとを分離する分離手段と、
第２データを第１データによって加工する加工手段と、
加工後の第２データの内容を受信端末操作者に提示する提示手段と、
を含むことを特徴とする受信端末と、
受信したデータに付されている識別子を検出し、その識別子から物理量を示す第１データか、それ以外の第２データかを判別するデータ種別判別手段と、
第１データ及び／又は第２データに含まれているリンク情報を検出し、受信した第１データとリンクされているデータを第２データから抽出する被加工データ抽出手段と、
抽出したデータを第１データによって加工する加工手段と、加工後のデータの内容を受信端末操作者に提示する提示手段とを含むことを特徴とする受信端末。
【請求項１３】
加工手段は、
第１データから送信端末に作用した物理量の種類を解析する解析部と、
第２データに対して解析結果に応じた加工態様で加工する加工部と、
を含むことを特徴とする請求項１２記載の受信端末。
【請求項１４】
送信端末から送られてきたデータを受信する受信端末であって、
送信端末から送られてくるデータを受信する受信手段と、
受信したデータから送信端末において検出された物理量を示す第１データと、物理量によって加工されるべきデータを特定する第２データを分離する分離手段と、
加工されるべきデータを格納している記憶手段と、
第２データによって特定される被加工データを記憶手段から取り出し、第１データによって加工する加工手段と、加工されたデータを受信端末操作者に提示する提示手段とを含むことを特徴とする受信端末。
【請求項１５】
加工手段は、
第１データから送信端末に作用した物理量の種類を解析する解析部と、第２データによって特定される被加工データに対して解析結果に応じた異なった加工態様で加工する加工部とを含むことを特徴とする請求項１４記載の受信端末。
【請求項１６】
加工手段は、
第１データから、送信端末のディスプレイに表示した絵に対してなされた突く、なぜる等の操作を解析する解析部と、第２データによって特定されるデータを解析結果に応じた加工態様で加工する加工部とを含むことを特徴とする請求項１４記載の受信端末。
【請求項１７】
他端末と双方向通信する通信端末であって、
ディスプレイと、
ディスプレイに表示された第１の画像に対してされた操作を検出して第１操作データを作製し、第２の画像に対してされた操作を検出し第２操作データを作製する物理量検出手段と、
ディスプレイ上に表示された第１の画像と第２の画像の少なくとも一方に相当する画像データ及び／又は音声データを準備する準備手段と、
第１操作データと第２操作データと準備データとを識別可能な形態で他端末に送信する送信手段と、
他端末から送られてくるデータを受信する受信手段と、
受信データが、第１操作データ、第２操作データ、準備データのいずれに該当するか判定するデータ種別判定手段と、
受信した準備データを第１操作データに基づいて加工する第１加工手段と、
受信した準備データを第２操作データに基づいて加工する第２加工手段と、
データ種別判定手段の判定結果をもとに第１加工手段、第２加工手段を選択して起動する起動手段と、
起動された加工手段によって加工された準備データが画像データの場合、ディスプレイ上の対応する画像を準備データの内容に置き換えて表示させる表示制御手段と、
前記加工された準備データが音声データの場合、その準備データの内容で発音する発音手段と
を含むことを特徴とする通信端末。
【請求項１８】
前記第１の画像が自端末操作者を表わす画像、第２の画像が他端末操作者を表わす画像であることを特徴とする請求項１７記載の通信端末。
【請求項１９】
２つの通信端末間でデータの送受信を行う通信システムであって、
第１の通信端末は、端末本体又はその一部に作用する物理量を検出する検出手段と、物理量によって加工処理されるべき対象データ若しくはその識別子を準備する準備手段と、
検出手段が検出した物理量データと準備手段が準備したデータとを互いに識別可能な形態で受信端末に送信する送信手段とを備え、
第２の通信端末は、
送信端末から送られてくるデータを受信する受信手段と、
受信したデータから送信端において検出された物理量を示す第１データと、物理量によって加工されるべき第２データとを分離する分離手段と、
第２データを第１データによって加工する加工手段と、
加工後の第２データの内容を受信端末操作者に提示する提示手段と、
を備えていることを特徴とする通信システム。
【請求項２０】
送信手段は、
物理量データと、そのデータによって加工されるべきデータとを関連づけるためのリンク情報を少なくとも物理データに付加するリンク情報付加手段を、
分離手段は、受信したデータに付されている識別子を検出し、その識別子から第１データか第２データであるかの判別を行うデータ種別判定部を含むことを特徴とする請求項１９記載の通信システム。